(57)【要約】タッチ制御可能な発光フィルムが提供される。それは、可撓性の、形成可能な、折り畳み可能な、引き伸ばし可能な、および／または屈曲可能な発光および／または光伝送能動層を備える。それはまた、発光能動層および／または遮光層の各側上に位置する少なくとも２つの導電性または半導電性電極を備える。少なくとも１つの電極は、ＨＡＲＭ（高アスペクト比分子構造）、単分子層結晶表面（ＭＣＳ）構造、透明な導電性酸化物、導電性または半導電性ポリマーおよび／または金属メッシュを含む。【選択図】図４
2016526209.tif 000002
【特許請求の範囲】
【請求項１】
発光フィルムであって、
可撓性の、形成可能な、折り畳み可能な、引き伸ばし可能な、および／または屈曲可能な発光能動層、
前記能動層の各側上に位置する２つの導電性または半導電性電極であって、少なくとも１つの電極は、透明であり、そして、ＨＡＲＭ−構造（高アスペクト比分子構造）、単結晶表面（ＭＣＳ）構造、導電性または半導電性ポリマー、透明な導電性酸化物、織られた金属ファブリックおよび金属メッシュのうちの少なくとも１つを含む、２つの導電性または半導電性電極、および、
少なくとも１つのタッチ感知領域であって、前記タッチ感知領域は、以下のグループ、
前記導電性または半導電性電極の少なくとも１つにおけるタッチ感知領域、
可撓性の、形成可能な、折り畳み可能な、引き伸ばし可能な、および／または屈曲可能なタッチ感知材料の１つ以上の層、
から選択される、少なくとも１つのタッチ感知領域、
を備える、発光フィルム。
【請求項２】
前記発光能動層は、以下のグループ、有機発光ダイオード能動層、エレクトロルミネッセンス層、電界放出層およびプラズマ層または、可撓性の、形成可能な、折り畳み可能な、引き伸ばし可能な、および／または屈曲可能な基板に埋め込まれるかまたは取り付けられるＬＥＤを含む層、から選択される、請求項１に記載の発光フィルム。
【請求項３】
前記発光能動層は、複数の領域を含む、請求項１または２に記載の発光フィルム。
【請求項４】
前記タッチ感知領域は、容量性タッチ感知領域である、請求項１〜３のいずれか１項に記載の発光フィルム。
【請求項５】
前記タッチ感知領域は、誘導性タッチ感知領域である、請求項１〜３のいずれか１項に記載の発光フィルム。
【請求項６】
前記タッチ感知領域は、抵抗性タッチ感知領域である、請求項１〜３のいずれか１項に記載の発光フィルム。
【請求項７】
各電極は、ＨＡＲＭ−構造（高アスペクト比分子構造）、単結晶表面（ＭＣＳ）構造、導電性または半導電性ポリマー、織られた金属ファブリックおよび金属メッシュのうちの少なくとも１つを含む、請求項１〜６のいずれか１項に記載の発光フィルム。
【請求項８】
請求項１〜７のいずれか１項に記載の発光フィルムを含む、照明装置。
【請求項９】
遮光フィルムであって、
可撓性の、形成可能な、折り畳み可能な、引き伸ばし可能な、および／または屈曲可能な遮光能動層、
前記発光能動層の各側上に位置する２つの導電性または半導電性電極であって、少なくとも１つの電極は、高アスペクト比分子（ＨＡＲＭ）構造、単分子層結晶表面（ＭＣＳ）構造、導電性または半導電性ポリマー、透明な導電性酸化物、織られた金属ファブリックおよび金属メッシュのうちの少なくとも１つを含む、２つの導電性または半導電性電極、および、
少なくとも１つのタッチ感知領域であって、前記タッチ感知領域は、以下のグループ、
前記導電性または半導電性電極の少なくとも１つにおけるタッチ感知領域、
可撓性の、形成可能な、折り畳み可能な、引き伸ばし可能な、および／または屈曲可能なタッチ感知材料の１つ以上の層、
から選択される、少なくとも１つのタッチ感知領域、
を備える、遮光フィルム。
【請求項１０】
前記可撓性の、形成可能な、折り畳み可能な、引き伸ばし可能な、および／または屈曲可能な遮光能動層は、液晶層である、請求項９に記載の遮光フィルム。
【請求項１１】
前記遮光能動層は、複数の領域を含む、請求項９または１０に記載の遮光フィルム。
【請求項１２】
前記タッチ感知領域は、容量性タッチ感知領域である、請求項９〜１１のいずれか１項に記載の遮光フィルム。
【請求項１３】
前記タッチ感知領域は、誘導性タッチ感知領域である、請求項９〜１１のいずれか１項に記載の遮光フィルム。
【請求項１４】
前記タッチ感知領域は、抵抗性タッチ感知領域である、請求項９〜１１のいずれか１項に記載の遮光フィルム。
【請求項１５】
請求項９〜１４のいずれか１項に記載の遮光フィルムを含む、照明装置。
【発明の詳細な説明】
【技術分野】
【０００１】
本発明は、可撓性発光フィルムに関する。
【背景技術】
【０００２】
可撓性のあるそして形成可能な発光構造体のための増加する要求があった。特定の先行技術構造体（例えばＯＬＥＤ（有機発光ダイオード））は、全く柔軟な能動的な発光層を有することが知られている。同様に、遮光層（例えば分極化している表面と組み合わされる液晶）は、可撓性でありえる。しかしながら、光学的に透明であることを必要とするこれらの装置に使用される電極は、これらの構造体を屈曲する、引き伸ばす、撓ませる、折り畳むおよび／または形成する能力を厳格に制限するかもしれない。周知の電極（例えばＩＴＯのような透明な導電性酸化物）があまりに多く屈曲されるか、一度に２つの異なる方向に屈曲されるか、または複雑３Ｄ（３次元の）面を通じて形成される場合、多くの課題は発生するかもしれない。割れおよび離層のような課題は、一般的である。
【０００３】
タッチ・センス的な可撓性のあるおよび／または形成可能な発光装置を作ることも、望ましい。典型的な例は、自動車または机のドーム照明、あるいは家またはオフィスのリーディングランプである。タッチ相互作用によって照明器具または他の照明装置の照明条件を調整する能力は、安全性、利便性、有用性および美的満足を加える。
【０００４】
照明装置の光調整のための既存の解決策は、照明源から分離するボタン、スイッチ、ダイヤルおよびタッチ面に限られる。これは、光源の直接の調整からユーザ入力を分離して、直観的な制御を制限する。
【０００５】
光源調整の直接のそして直観的な制御をユーザに与える手段は、工業的および商業的に有益である。
【先行技術文献】
【特許文献】
【０００６】
【特許文献１】国際出願第ＰＣＴ／ＦＩ２０１１／０５０１９７号
【特許文献２】国際出願第ＰＣＴ／ＦＩ２０１２／０５０９３６号
【特許文献３】国際出願第ＰＣＴ／ＦＩ２０１３／０５０１２９号
【特許文献４】国際公開第２０１３／０４５７６６号
【特許文献５】国際公開第２０１１／１０７６６６号
【発明の概要】
【発明が解決しようとする課題】
【０００７】
本発明は、上述の課題および先行技術の課題に対処して、さまざまなアプリケーションを有することができる新規な可撓性のおよび／または形成可能な発光フィルムまたは遮光フィルムを提供する。
【課題を解決するための手段】
【０００８】
本発明の一実施形態によれば、発光および／または遮光フィルムは、設けられる。それは、可撓性の、形成可能な、折り畳み可能な、引き伸ばし可能な、および／または屈曲可能な発光および／または光伝送能動層、および、発光または遮光能動層の各側上に位置する２つの導電性または半導電性電極を備える。少なくとも１つの電極は、ＨＡＲＭ（高アスペクト比分子構造）、ＭＣＳ（単分子層結晶表面構造）および／または１つ以上の導電性または半導電性ポリマーおよび／または金属メッシュを含む。発光の実施形態において発光能動層の光を発生するために、または遮光の実施形態において遮光層の後で光源からの光を遮断するために、電流および／または電圧は、電極間で電源から制御される。
【０００９】
可撓性の、折り畳み可能な、形成可能な、引き伸ばし可能な、および／または屈曲可能な発光能動層は、例えば、ＯＬＥＤ（有機発光ダイオード）層、ＥＬ（エレクトロルミネセンス）層、ＦＥ（電界放出）層またはプラズマ層であることができる。上記の能動層の特性は公知である。そして、それらの例えば可撓性は、先行技術に示された。可撓性の、折り畳み可能な、形成可能な、引き伸ばし可能な、および／または屈曲可能な発光層は、可撓性の、折り畳み可能な、形成可能な、引き伸ばし可能な、および／または屈曲可能な基板上に、非可撓性の構成要素（例えば、この種の基板に埋め込まれるかまたは取り付けられるＬＥＤ）の配列を含んでもよい。
【００１０】
可撓性の、折り畳み可能な、形成可能な、引き伸ばし可能な、および／または屈曲可能な遮光能動層は、例えば、液晶能動層（例えばネマチック液晶層）であることができる。上記の能動層の特性は公知である。そして、それらの例えば可撓性は、先行技術に示された。
【００１１】
２つ以上の導電性または半導電性電極は、能動層の両側に置かれることができる。それらは、それとの物理的接触状態あることができるか、または間に隙間または他の層を有することができる。ＨＡＲＭ−構造を含む電極は、一度に１つ以上の方向における高い可撓性、および、例えば、特にカーボンナノチューブおよびナノバドの場合、フィルムを形成して、引き伸ばして、曲げて、そして折り畳む能力、良好な導電性、低い表面粗さおよび高い光透過性を提供することができる。ＨＡＲＭ−構造は、カーボンナノチューブ（ＣＮＴ）、フラーレン（Ｃ６０）、ナノバド（ナノバドは、カナトゥ  オイ（Ｃａｎａｔｕ  Ｏ）により登録された商標である）−ＣＮＴｓおよびＣ６０のハイブリッド、ナノワイヤ、ナノひげなどを含むが、これに限定されない。電極は、単分子層結晶表面構造を含んでもよい。いわゆる単分子層結晶表面（ＭＣＳ）構造の例は、炭素（例えばグラフェン）、窒素およびホウ素の基本的に２次元の格子を含む。ポリマー、金属メッシュ、または織られた金属ファブリックを含む電極は、コストおよび／または印刷可能性に関して一定の利点を提供する。ポリマーは、ポリ（フルオレン）、ポリフェニレン、ポリピレン、ポリアズレン、ポリナフタレン、ポリ（ピロール）（ＰＰＹ）、ポリカルバゾール、ポリインドール、ポリアゼピン、ポリアニリン（ＰＡＮＩ）、ポリ（チオフェン）（ＰＴ）、ポリ（３，４−エチレンジオキシチオフェン）（ＰＥＤＯＴ）、ＰＥＤＯＴ：ＰＳＳ、ポリ（ｐ−フェニレン・スルフィド）（ＰＰＳ）、ポリ（アセチレン）（ＰＡＣ）、ポリ（ｐ−フェニレン・ビニレン）（ＰＰＶ）を含むが、これに限定されない。
【００１２】
本発明の一実施形態によれば、請求項の発光層または遮光層は、少なくとも１つのタッチ感知領域をさらに含むことができる。この実施形態において、タッチ感知領域は、導電性または半導電性透明電極の少なくとも１つにおけるタッチ感知領域、および、可撓性の、形成可能な、折り畳み可能な、引き伸ばし可能な、および／または屈曲可能なタッチ感知材料の１つ以上の層、のうちの少なくとも１つである。
【００１３】
タッチ感知フィルムは、例えば、周知のような容量性センサ（例えば、容量性または誘導性の表面、突き出た容量性または誘導性）、周知のような抵抗センサ、または特許文献１〜３において説明したようなタッチセンサ、の全部または一部であることができる。
【００１４】
換言すれば、フィルムは、電極全部またはそれの一部であることができる１つの電極のタッチ感知領域、または両電極のタッチ感知領域、あるいは、発光装置の基本的３層電極／発光層−電極スタック、または例えば液晶（液晶、透明電極および偏光子）を用いる光伝送／遮光装置の基本的遮光層と一緒に積層される、付加的なタッチ感知の可撓性のそして光学的に透明な層、によってタッチ感知特性を有することができる。これは、例えば屈曲可能なタッチセンサ、または、複雑な３Ｄ形状の構造の周辺に置かれることができて、光のような電磁放射線をまだ伝送することができて、タッチ感度を有する形成可能なフィルム、を作製する可能性を提供する。例として、特許文献４、５において開示されるタッチ感知層は、可撓性のまたは形成可能なタッチ感知層として使われることができる。
【００１５】
タッチ感知フィルムは、光学的に透明である。したがって、本発明による照明器具または他の照明装置の一部としてタッチ感知フィルムの使用を可能にする。タッチ感知フィルムの光透過性は、問題のアプリケーションに関連した周波数／波長範囲において、フィルムの平面と実質的に垂直な方向からの入射光の少なくとも１０％、好ましくは少なくとも９０％がフィルムを通して伝送されることをここで意味する。大部分のタッチ感知アプリケーションにおいて、この周波数／波長範囲は、可視光のそれである。しかしながら、他のアプリケーションが電磁スペクトルの異なる部分の透明性を必要としてもよい。
【００１６】
本発明による装置の層の一部または全部は、パターン化されることができて、および／または、例えば従来技術において周知であるようにタッチを駆動して、感知して、解釈するための適切なエレクトロニクスおよびアルゴリズムを通してタッチ表面を介して別々にまたは集合的に制御されることができる異なる領域へと表面をピクセル化するかまたはセグメット化するようにエレクトロニクスを支持することによって個々に駆動されることができる。
【００１７】
タッチ感知層からの入力は、例えば、発光層から発せられるかまたは遮光層を通った光の特性（例えば方向、明るさ、色、焦点、またはビーム角）を調整するために、あるいは、発光層から発せられるかまたは遮光層を通った光の点灯または消灯または動作モード（例えばフラッシング率または期間）を変更するために、使われることができる。発光層または遮光層は、例えば、色を修正するために色フィルタを含んでもよいことに留意されたい。
【図面の簡単な説明】
【００１８】
【図１】図１は、実施形態による形成可能なフィルムを示す。
【図２】図２は、実施形態によるフィルムの屈曲可能性を示すグラフである。
【図３】図３は、引き伸ばしの前後の実施形態によるフィルムを示す。
【図４】図４は、３次元的表面からまたはそれを通して発せられる光の色および強さがタッチ入力によって変えられる本発明の実施形態を示す。
【図５】図５は、光源からの光が遮光層を通して伝送方向を変えるための本発明によるドラッグ・ジェスチャを示す。
【図６】図６は、発光層から発せられる光の方向を変えるための本発明によるドラッグ・ジェスチャを示す。
【図７】図７は、遮光層を通して光源から伝送される光の焦点またはビーム角を変えるための本発明による２本の指のピンチ・ジェスチャを示す。
【図８】図８は、発光層を通して光源から発せられる光の焦点またはビーム角を変えるための本発明による２本の指のピンチ・ジェスチャを示す。
【図９】図９は、例えば、発光層から発せられる光または遮光層を通して光源から伝送される光の明るさ、色、焦点またはビーム角を変えるための本発明による３本の指の回転ジェスチャを示す。
【発明を実施するための形態】
【００１９】
参照は、目下、本発明の実施形態になされる。そしてその例は、添付図面において例示される。
【００２０】
能動層および２つの電極（それらのうちの少なくとも１つは透明である）を有する発光装置の一般的機能は、先行技術に記載されている。光源、能動層および２つの透明電極を有する光伝送装置の一般的機能は、先行技術に記載されている。
【００２１】
本発明の一実施形態によるＨＡＲＭを含むフィルムの例として、ナノバド層を含むフィルムは、示される。フィルムがナノバドに限られなくて、他のＨＡＲＭ構造を用いて、または、例えば、カーボンナノチューブ、グラフェン、ポリマー、ナノワイヤおよび金属メッシュを用いて実施することができることは、当業者にとって明らかである。
【００２２】
図１は、本発明の一実施形態による形成可能なフィルムを示す。それは、例えば携帯デバイスに適用されることができる。
【００２３】
図２は、本発明の一実施形態によるナノバド（Ｎａｎｏｂｕｄ）に基づくフィルムの顕著な屈曲可能性を示すグラフである。本発明の一実施形態において、フィルムは、まだ導電性のままであると共に、曲率半径１ｍ未満で、より好ましくは曲率半径０．１ｍ未満で、より好ましくは曲率半径０．０１ｍ未満で、最も好ましくは曲率半径０．００１ｍ未満で、繰り返し撓ませることができる。
【００２４】
図３は、本発明の一実施形態によるナノバドに基づくフィルムの例外的な引き伸ばしを示すグラフである。本発明の一実施形態において、フィルムは、まだ導電性のままであると共に、１％を超えて、より好ましくは２％を超えて、より好ましくは４％を超えて、より好ましくは８％を超えて、より好ましくは１６％を超えて、より好ましくは３２％を超えて、より好ましくは６４％を超えて、最も好ましくは１２８％を超えて、撓んで引き伸ばされることができる。
【００２５】
図４は、発光構造体内または上に統合されるタッチ入力が、本発明による可撓性、引き伸ばし性の形成可能な発光構造体でおおわれている複雑な３Ｄ発光対象物の配光、明るさおよび色を変えるために用いる本発明の実施形態の画像である。
【００２６】
光を制御するために使われることができるタッチ・ジェスチャの例は、単一のまたは複数の指の保持（タッチ表面上の長いタッチ）、タップ（タッチ表面上の短いタッチ）、または例えば点灯／消灯のためのマルチタップ、発せられる光の方向を変えるためのタッチ表面を通じた単一のまたは複数の指の早い（スワイプ）または遅い（スライドまたはドラッグ）動き、例えば光ビームを狭めるための２本またはそれ以上の指のピンチまたはスクイズ（タッチ表面上で複数の指をより近づける動き）、複数の指のスプレッドまたはストレッチ（例えば光ビームを拡げるための複数の指を互いに離す動き）、例えば光の色、明るさ、焦点、および／またはビーム角を変えるためのタッチ表面上で点のまわりに単一のまたは複数のタッチを回転すること、を含むが、これに限らない。
【００２７】
本発明の一実施形態による発光層または遮光層は、複数の領域（例えば画素または部分）に分けられてもよい。本発明の一実施形態による各画素から発せられるかまたは各画素によって遮断される光は、所与の方向を目指してもよい。例えば、発光層または光伝送層の特定の領域（画素）をオンまたはオフにするか、あるいは明るくまたは薄暗くすることによって、集光および／またはビーム角の変化は、達成されることができる。
【００２８】
図５および図６は、遮光層を通して光源からの伝送光の若干の部分をブロックすること（図５）によるか、または、適切な発光層を起動して選択された方向に光を発生させる（図６）かのどちらか、に光を導くために用いる単一指のスライドまたはドラッグ・ジェスチャの実施形態を示す。
【００２９】
図７および図８は、遮光層を通して光源からの伝送光の若干の部分をブロックすること（図７）によるか、または、適切な発光層を起動して選択された方向に光を発生させる（図８）かのどちらか、に光を焦束するかまたはビーム角を狭くするために用いる、２本の指をより近づけるピンチ・ジェスチャの実施形態を示す。同様に、指を離れて動かすこと（延展または引き伸ばし）は、ビーム角を広げておよび／または焦点を減らすために用いることができる。他の実施態様において、これらのジェスチャは、例えば、発せられたまたは伝送された光の明るさまたは色を変えるために使われることができる。発生された光の周波数を変えることによって、または、タッチ表面の下または上のスタックの付加的な色フィルタを介して、これは、達成されることができる。
【００３０】
本発明の実施形態によるフィルムは、光透過性を有することもできる。
【００３１】
図９は、例えば、伝送されたまたは発せられた光源の色、明るさ、焦点またはビーム角を変えるために３本の指の回転ジェスチャが用いられる本発明の実施形態のタッチ表面を示す。本発明によれば、他のジェスチャおよび指またはスタイラスの数は、発せられたまたは伝送された光のこれらおよび他の特性を調整するために用いることができる。
【００３２】
本発明による遮光層または発光層と連動して使用する光源は、当業者に周知の任意の光源でもよいが、例えば電球の抵抗性加熱フィラメントからの白熱光、例えば発光ダイオード、ネオン・ランプおよび水銀灯、炎または他の化学反応からの自然放出光、例えばレーザーおよびメーザーからの誘導放出光、例えばサイクロトロン、シンクロトロンおよび制動放射放射線のような可視光、蛍光発光またはバイオルミネセンスのような化学放射線、イルミネーションまたは（蛍光発光または燐光発光のような）エネルギー性放射線または（カソードルミネセンスのような）亜原子粒子により生成される光、エレクトロルミネセンス、シンチレーション、音ルミネセンスまたはトライボルミネセンス、に限らない。光を生成する他の手段も、本発明によれば可能である。光源が可撓性であるかまたは形成可能なフォーマットにおいて直接実施することができない場合には、例えば、可撓性であるかまたは形成可能なディフューザを介して、１つ以上のエッジから可撓性であるかまたは形成可能なフィルムを照らして、表面から光の一部または全部を導くことは、光源として使用することができる。
【００３３】
タッチ感知フィルム（ＴＳＦ）は、一般に、タッチ感知装置のタッチ感知要素として用いることができるフィルムを意味する。例えば、指先またはスタイラス、ならびに存在、位置、および／または１つ以上のこの種の指、ポインタまたは他の物体の動きの検出のための他のタイプのデバイスにより装置をタッチすることによって作動されるすべてのユーザインタフェースデバイスをカバーするために、タッチ感知装置は、本明細書で広く理解されるべきである。
【００３４】
本発明の文脈において、「タッチ」という用語は、広く解釈されるべきである。そして、指、スタイラスまたは他のポインタとタッチ感知フィルムまたはタッチ表面との間の真の物理的接触に加えて、この種のポインタがそれによって検出されるべきＴＳＦの十分近くに持ってこられる状況もカバーする。ポインタ、指およびスタイラスは、本明細書では取り換え可能に用いられる。
【００３５】
動作において、ＴＳＦがタッチ感知装置の適切に構成された電気的測定回路の一部として接続されるときに、フィルム上の１つ以上の物体のタッチ、またはフィルムの近くにおける１つ以上の物体の存在は、回路の１つ以上の電気的特性の変化を引き起こす。そして、それに基づいて、タッチは、検出されることができて、アプリケーションに応じて、決定されるタッチ感知領域上の位置、その付近、および／またはそれを横切る運動も好ましくは検出されることができる。実際には、この変化は、ＴＳＦへの音源信号の供給およびＴＳＦからの応答信号の受信、そしてＴＳＦの変化をモニタすることによって、典型的に検出される。他の手段は、本発明によれば可能である。
【００３６】
一般に、本発明のＴＳＦは、いかなるタイプのタッチセンサまたはＴＳＦを組み込んでいるタッチ感知装置の全部または一部も形成することができる。そして、後述する実施形態に制限されない。
【００３７】
ＴＳＦは、容量ＴＳＦでありえる。容量ＴＳＦは、タッチの検出が主に容量性感知原理に基づくことができるタッチ感知要素を、ここで意味する。ＴＳＦの容量性感知原理または容量性動作は、ＴＳＦが適当な感知回路に接続するときに、ＴＳＦと環境との間に、またはＴＳＦの異なる位置間に、１つ以上のタッチが生じさせる容量結合の変化に基づいて前記タッチが検出されることができることを意味する。
【００３８】
他方で、本発明のＴＳＦは、誘導性に動作することもできる。誘導性動作に関しては、ＴＳＦと環境との間に、またはＴＳＦの異なる位置間に、物体が誘導結合を誘導することをここで意味する。換言すれば、容量結合または誘導結合は、それぞれ、ＴＳＦに対する外部のキャパシタンスまたはインダクタンスの結合とみなすこともできる。
【００３９】
また、本発明のＴＳＦは、抵抗性に動作することができる。抵抗性動作に関しては、１つ以上の抵抗フィルムを含んでいる装置の電気的経路または経路の集合の両端間の抵抗率／電流または電圧の検出可能な変化を物体が引き起こして、次いで、この検出可能な変化が位置に変換されることができることをここで意味する。タッチ感知フィルムを組み込んでいる他のタッチセンサは、従来技術において周知である。
【００４０】
さらに、本発明のＴＳＦは、いかなる特定の検出原理にも制限されなくて、代わりに、導電層の利用に基づくいかなる検出原理にも基づくことができる。したがって、ＴＳＦは、例えば、抵抗、電圧、位相角、キャパシタンス、誘導または電流におけるタッチが誘発する変化を検出するように構成されることもできる。検出は、物体をタッチすることによって誘発される、例えば、絶対的または相対的位置、あるいは速度または圧力に基づくことができる。
【００４１】
導電層は、１つ以上の導電性材料で形成される層である。「導電性」に関しては、材料の導電性メカニズムまたは導電性タイプにかかわりなく、材料における電荷の流れを許容することが可能ないかなる材料もここで意味する。したがって、「導電性」は、例えば、半導体または半導体材料もここでカバーする。タッチ感知装置の一部としてのＴＳＦの動作において、音源信号は、１つ以上の導電層に供給される。そして、応答信号は、１つ以上の導電層から測定される。
【００４２】
導電層用の可能性がある材料のグループは、例えば、異なる導電性ポリマーおよび金属酸化物（例えばＩＴＯ、ＦＴＯまたはＡＺＯ）によって形成される。他方で、１つの好ましい実施形態において、導電層は、高アスペクト比分子構造（ＨＡＲＭＳ）ネットワークから成る。ＨＡＲＭＳまたはＨＡＲＭ構造に関しては、ナノメートル・スケール（すなわち約１００ナノメートル以下の寸法）の特性寸法を有する導電性構造をここで意味する。これらの構造の例は、カーボンナノチューブ（ＣＮＴｓ）、カーボンナノバド（ｃａｒｂｏｎ  ＮＡＮＯＢＵＤ（登録商標）；ＣＮＢｓ）、金属（例えば銀、金または銅）ナノワイヤ、およびカーボンナノリボンを含む。ＨＡＲＭＳネットワークでは、これらの種類の多くの単一構造（例えばＣＮＴｓ）は、互いに相互接続される。換言すれば、１ナノメートルのスケールで、ＨＡＲＭ−構造は、真に連続性材料（例えば導電性ポリマーまたはＩＴＯ）を形成しない。そして、むしろ電気的に相互接続した分子または構造のネットワークである。しかしながら、巨視的スケールで考慮されるように、ＨＡＲＭＳネットワークは、固体、モノリシック材料を形成する。基本的特徴として、ＨＡＲＭＳネットワークは、薄層の形で生産されることができる。
【００４３】
タッチ感知領域（ＴＳＲ）（すなわち、導電層の範囲内のタッチ感知領域）は、導電層の「能動的」または動作部分（すなわち、実際のタッチ感知動作が実行されるべき領域）である。ＴＳＲは、導電層の全域をカバーすることもできる。ＴＳＦにおいて、１つ以上の導電層があることができる、そして、１つの導電層は、１つ以上のＴＳＲを有することができる。タッチを感知することができるが、タッチを感知するために使われなくて、したがって、上で説明される意味のＴＳＲと考えられない導電層の領域もあってよい。
【００４４】
導電層に加えて、ＴＳＦは、タッチ感知要素の全体の働きを実施するために必要な他の層または構造を含むこともできる。例えば、基板層および／またはフィルムの機械的保護のための１つ以上の層があることができる。さらに、屈折率または色合わせのための１つ以上の層、および／または、例えば、反引っ掻き、層間隔、装飾、自己洗浄、または他の目的のための１つ以上のコーティングもあることかできる。本発明によれば、これらの層は、導電層に関していかなる順序または位置においてもあることができる。層をなした要素の他に、ＴＳＦは、３次元的に組織された構造（例えば、ＴＳＦまたはその部分を通って延びている接触電極およびその他の接触構造）を含んでもよい。説明を簡単にするため、これらの追加的なフィルムおよび構造は、図示されないが、それらは本発明の範囲内に含まれる。
【００４５】
技術の発達については、本発明の基本的な着想がさまざまな方法で実施されてもよいことは、当業者にとって明らかである。本発明およびその実施形態は、したがって、上記の例に限られていない。代わりに、それらは、請求項の範囲内で変化してもよい。
【図１】
2016526209.tif 000003
【図２】
2016526209.tif 000004
【図３】
2016526209.tif 000005
【図４】
2016526209.tif 000006
【図５】
2016526209.tif 000007
【図６】
2016526209.tif 000008
【図７】
2016526209.tif 000009
【図８】
2016526209.tif 000010
【図９】
2016526209.tif 000011
【国際調査報告】
2016526209.tif 000012
2016526209.tif 000013
2016526209.tif 000014